(57)【特許請求の範囲】
【請求項１】
対象物を照射する照射装置であって、
光源と、
前記光源からの光束が入射されて照射光束を照射する照射素子と、
前記光源からの光束を前記照射素子に向けて導光する導光素子と、
前記光源からの光束を前記導光素子の導光面に集光する集光素子と、
を有し、
前記集光素子は、
前記導光素子側に向けられる円柱面と、
前記光源側に向けられる平面と、
を備え、
前記光源と前記集光素子と前記導光素子とは、第１仮想軸線上に配置され、
前記導光素子と前記照射素子とは、前記第１仮想軸線と直交する第２仮想軸線上に配置され、
前記照射素子の中心軸線は、前記第１仮想軸線と平行であり、かつ、前記第２仮想軸線と直交し、
前記集光素子は、前記円柱面の曲率のない方向を前記第２仮想軸線と平行な方向に向けて、前記第１仮想軸線上に配置され、
前記照射光束が前記照射素子の前記中心軸線に対して直交する方向に照射されたとき、前記照射装置を構成する部材のうち、前記照射光束の照射範囲に配置される部材は、前記導光素子のみである、
ことを特徴とする照射装置。
【請求項２】
前記集光素子は、前記光源からの光束を、前記第１仮想軸線と前記第２仮想軸線それぞれに直交する方向に狭める、
請求項１記載の照射装置。
【請求項３】
前記集光素子からの光束は、前記導光面の中央に集光される、
請求項２記載の照射装置。
【請求項４】
前記照射素子は、円柱体であり、
前記照射素子の外周面の一部には、半透過膜が形成されている、
請求項１記載の照射装置。
【請求項５】
前記照射素子は、ロッドレンズである、
請求項４記載の照射装置。
【請求項６】
対象物を照射する照射装置を有してなる墨出器であって、
前記照射装置は、請求項１乃至５のいずれかに記載の照射装置である、
ことを特徴とする墨出器。
【請求項７】
光源と、
前記光源からの光束が入射されて照射光束を照射する照射素子と、
前記光源からの光束を前記照射素子に向けて導光させる導光素子と、
前記光源からの光束を前記導光素子の導光面に集光させる集光素子と、
を有してなる照射装置により対象物を照射する照射方法であって、
前記光源が、一の方向に光束を出射し、
前記集光素子が、前記光源からの前記光束を、前記一の方向に直交する二の方向に狭めるように集光し、
前記導光素子が、前記集光素子により集光された前記光束を、前記一の方向と前記二の方向それぞれに直交する方向に反射させ、
前記照射素子が前記照射光束を前記照射素子の中心軸線に対して直交する方向に照射したとき、前記照射素子は、前記照射光束の一部を前記導光素子に照射し、前記導光素子に照射される前記照射光束を除く前記照射光束の他の一部を前記対象物に照射する、
ことを特徴とする照射方法。
【発明の詳細な説明】
【技術分野】
【０００１】
本発明は、照射装置と墨出器と照射方法に関する。
【背景技術】
【０００２】
光学式の墨出器は、建築現場などにおいて、水平度の基準となる水平ラインや、鉛直度の基準となる鉛直ラインを壁や天井などの対象物に照射する。
【０００３】
光学式の墨出器は、例えば、半導体レーザからなる光源と、光源からのレーザ光の光線束（以下「光束」という。）が入射されるレンズと、を有してなる。光源からの光束は、レンズに入射されて拡散や反射される。光学式の墨出器は、レンズからの拡散光束や反射光束（以下「照射光束」という。）を壁や天井などの対象物に照射することで、対象物に水平ラインや鉛直ラインなどの直線状を描く。
【０００４】
照射光を広範囲の対象物に照射する技術として、コーンレンズ（円錐レンズ）を用いて、光源からの光束を３６０度の範囲にわたり放射状に照射する光学式の墨出器が提案されている。
【０００５】
光源からの光束は、光束の中心がコーンレンズの頂点に向かって入射される。コーンレンズの頂点に入射された光束は、コーンレンズの円錐面で３６０度の範囲にわたり反射される。そのため、コーンレンズを用いたレーザ墨出器は、コーンレンズの中心軸線を鉛直にすれば、対象物に水平ラインを描くことができる。また、コーンレンズを用いたレーザ墨出器は、コーンレンズの中心軸線を水平にすれば、対象物に鉛直ラインを描くことができる。
【０００６】
しかし、コーンレンズの加工には、高い精度が要求される。また、コーンレンズの円錐面への均一な反射膜の形成は難しい。そのため、コーンレンズの製造コストは高額である。
【０００７】
この問題を解決する技術として、円柱体のレンズ（以下「ロッドレンズ」という。）を用いて、光源からの光束を３６０度に近い範囲に放射状に照射する技術が提案されている（例えば、特許文献１参照）。
【０００８】
ロッドレンズの外周面の略半周面は、半透過膜がコーティングされた半透過面である。光源からの光束は、ロッドレンズの半透過面側からロッドレンズに入射される。ロッドレンズに入射される光束（以下「入射光束」という。）の入射角は、ロッドレンズの中心軸線に対して直角である。入射光束の一部は、ロッドレンズの半透過膜により、入射光束と同一平面上に１８０度以上の範囲にわたり反射される。一方、入射光束の他の一部は、半透過膜を透過する。半透過膜を透過した入射光束（以下「透過光束」という。）は、ロッドレンズの外周面で屈折される。屈折された透過光束は、ロッドレンズの未コーティング面から入射光束と同一平面上の扇状に拡散される。
【０００９】
半透過膜の反射率と透過率との割合は、例えば、５０対５０に調整される。そのため、ロッドレンズからの照射光束は、光源からの光束に対して５０％の強度となる。すなわち、ロッドレンズからの照射光束は、ロッドレンズを中心として３６０度の範囲にわたり全周ライン状に照射される。
【先行技術文献】
【特許文献】
【００１０】
【特許文献１】特許第３５３２１６７号明細書
【発明の概要】
【発明が解決しようとする課題】
【００１１】
しかし、光源や光源を収納する筐体（以下「ユニット」という）などは、入射光束をロッドレンズの中心軸線に対して直角に入射する。そのため、ユニットは、ロッドレンズの外周面に対向して配置される。すなわち、ユニットは、照射光束の照射範囲に配置される。そのため、全周ライン状に照射された照射光束の一部は、ユニットにより扇状に遮られる。
【００１２】
本発明は、以上のような従来技術の問題点を解消するためになされたもので、簡易な構造で、極めて切れ目の少ない全周ライン状に照射光束を照射可能な照射装置と墨出器と照射方法とを提供することを目的とする。
【課題を解決するための手段】
【００１３】
本発明は、対象物を照射する照射装置であって、光源と、光源からの光束が入射されて照射光束を照射する照射素子と、光源からの光束を照射素子に向けて導光する導光素子と、光源からの光束を導光素子の導光面に集光する集光素子と、を有し、集光素子は、導光素子側に向けられる円柱面と、光源側に向けられる平面と、を備え、光源と集光素子と導光素子とは、第１仮想軸線上に配置され、導光素子と照射素子とは、第１仮想軸線と直交する第２仮想軸線上に配置され、照射素子の中心軸線は、第１仮想軸線と平行であり、かつ、第２仮想軸線と直交し、集光素子は、円柱面の曲率のない方向を第２仮想軸線と平行な方向に向けて、第１仮想軸線上に配置され、照射光束が照射素子の中心軸線に対して直交する方向に照射されたとき、照射装置を構成する部材のうち、照射光束の照射範囲に配置される部材は、導光素子のみである、ことを特徴とする。
【発明の効果】
【００１４】
本発明によれば、簡易な構造で、極めて切れ目の少ない全周ライン状に照射光束を照射可能な照射装置と墨出器と照射方法とを提供することができる。
【図面の簡単な説明】
【００１５】
【図１】本発明にかかる照射装置の実施の形態を示す斜視図である。
【図２】図１の照射装置の左側面視断面図である。
【図３】図１の照射装置の光学配置図である。
【図４】図１の照射装置が備える光源からの光束がロッドレンズに至るまでの光路を示す光路図である。
【図５】図１の照射装置が照射する照射光束の照射方向を示す照射装置の平面図である。
【図６】本発明にかかる照射装置の別の実施の形態の光路図である。
【図７】図６の照射装置が照射する照射光束の照射方向を示す照射装置の平面図である。
【図８】本発明にかかる照射装置のさらに別の実施の形態を示す左側面視断面図である。
【図９】本発明にかかる墨出器の実施の形態を示す斜視図である。
【発明を実施するための形態】
【００１６】
以下、図面を参照しながら、本発明にかかる照射装置と墨出器との実施の形態について説明する。
【００１７】
●照射装置（１）●
先ず、本発明にかかる照射装置の実施の形態について説明する。
【００１８】
●照射装置（１）の構成
図１は、本発明にかかる照射装置の実施の形態（以下「第１実施形態」という。）を示す斜視図である。
照射装置１は、壁や天井などの対象物を照射して、対象物に水平ラインや垂直ラインを描く。照射装置１は、光源ユニット１０と導光ユニット２０とロッドレンズ３０とを有してなる。
【００１９】
図２は、照射装置１の左側面視断面図である。
以下の説明において、同図の紙面上側を上方といい、紙面下側を下方という。また、同図の紙面右側を前方といい、紙面左側を後方という。さらに、同図の紙面奥側を左方といい、紙面手前側を右方という。
【００２０】
光源ユニット１０は、導光ユニット２０にレーザ光の光線束（以下「光束」という。）を出射する。光源ユニット１０は、光源１１と光源ホルダ１２と回路基板１３とを備える。
【００２１】
光源１１は、光束を出射する。光源１１は、例えば、レーザダイオード（半導体レーザ）である。光源１１は、光束を出射する出射面と、回路基板１３に接続される端子と、を備える。
【００２２】
光源ホルダ１２は、光源１１を保持する。光源ホルダ１２は、両端（紙面上下端）が開口する円筒体である。光源ホルダ１２の上端の外周縁には、フランジ部１２ａが形成される。フランジ部１２ａには、上下方向に沿うボルト挿通孔（不図示）が２箇所に形成される。光源１１は、射出面を上方に向けて光源ホルダ１２の内側に保持される。光源１１の端子は、光源ホルダ１２の下端側の開口から下方へ突出する。
【００２３】
回路基板１３は、光源１１からの光束の出射を制御する。回路基板１３には、例えば、コンパレータや電圧レギュレータなどの素子が設けられる。回路基板１３は、光源１１の下方に配置される。回路基板１３には、光源１１の端子が半田などで接続される。回路基板１３には、図示されない電源が接続される。
【００２４】
導光ユニット２０は、光源１１からの光束をロッドレンズ３０に導く（導光する）。導光ユニット２０は、コリメータレンズ２１と第１レンズホルダ２２とシリンドリカルレンズ２３と第２レンズホルダ２４とユニットベース２５と反射ミラー２６とミラーホルダ２７とを備える。
【００２５】
コリメータレンズ２１は、光源１１からの光束を平行光束にする。コリメータレンズ２１は、平面視で円形である。コリメータレンズ２１は、凸面と平面とを備える。
【００２６】
第１レンズホルダ２２は、コリメータレンズ２１を保持する。第１レンズホルダ２２は、両端（紙面上下端）が開口する円筒体である。コリメータレンズ２１は、凸面を上方に向けて第１レンズホルダ２２の上下方向における中央の内側に保持される。第１レンズホルダ２２の外周面には、第１レンズホルダ２２の周方向に沿う溝が形成される。溝には、Ｏリングが環装される。
【００２７】
シリンドリカルレンズ２３は、コリメータレンズ２１からの平行光束を集光させる。シリンドリカルレンズ２３は、本発明にかかる照射装置における集光素子の例である。シリンドリカルレンズ２３は、平面視で円形である。シリンドリカルレンズ２３は、円柱面と平面とを備える。シリンドリカルレンズ２３の円柱面は、曲率のある方向と、曲率のある方向に直交する曲率のない方向と、の２つの方向を備える。図２には、シリンドリカルレンズ２３の曲率のない方向に沿う断面が示される。
【００２８】
第２レンズホルダ２４は、シリンドリカルレンズ２３を保持する。第２レンズホルダ２４は、厚いリング体である。シリンドリカルレンズ２３は、円柱面を上方に向けて第２レンズホルダ２４の内側に保持される。第２レンズホルダ２４は、第１レンズホルダ２２の上端側の内側に保持される。第１レンズホルダ２２の内側において、コリメータレンズ２１の凸面は、シリンドリカルレンズ２３の平面と対向する。コリメータレンズ２１の中心とシリンドリカルレンズ２３の中心とは、同一仮想軸線（以下「第１軸線」という。）Ｌ１上に位置する。
【００２９】
ユニットベース２５は、第１レンズホルダ２２を収納する。ユニットベース２５は、両端（紙面上下端）が開口する円筒体である。第１レンズホルダ２２は、シリンドリカルレンズ２３の曲率のない方向を前後方向に向けて、ユニットベース２５に収納される。第１レンズホルダ２２は、ユニットベース２５の上下方向の略中央に、Ｏリングを介して保持される。ユニットベース２５の上端の外周縁には、フランジ部２５ａが形成される。フランジ部２５ａの上端面には、雌ねじ穴２５ｂが２箇所に形成される。雌ねじ穴２５ｂは、前後方向に沿うユニットベース２５の直径ラインの延長線上、かつユニットベース２５の開口の同心円上に形成される。
【００３０】
ユニットベース２５の上端面には、側方視でＶの字状のＶ溝２５ｅが形成される。Ｖ溝２５ｅは、左右方向に沿うユニットベース２５の直径ラインの延長線上に形成される。Ｖ溝２５ｅは、ユニットベース２５の開口を挟んで２箇所に形成される。すなわち、Ｖ溝２５ｅは、側方視で２つの雌ねじ穴２５ｂの中間に位置する。
【００３１】
ユニットベース２５の下端面には、図示されない雌ねじ穴が２箇所に形成される。２つの雌ねじ穴の間隔は、光源ホルダ１２の２つのボルト挿通孔の間隔と同じである。
【００３２】
反射ミラー２６は、入射された光束を導光（反射）する。反射ミラー２６は、本発明にかかる照射装置における導光素子の例である。反射ミラー２６は、一方の面に全反射膜が蒸着などにより形成された全反射ミラーである。全反射膜は、金属などの光反射膜である。反射ミラーの中心と全反射膜が形成された面（以下「導光面」という。）２６ａの中心とは、一致する。反射ミラー２６は、他方の面を後述するミラー支持柱２７ｂｃに、例えば、接着剤などで取り付けられる。
【００３３】
ミラーホルダ２７は、反射ミラー２６とロッドレンズ３０とを保持する。ミラーホルダ２７は、第１ホルダ部材２７ａと第２ホルダ部材２７ｂとを備える。
【００３４】
第１ホルダ部材２７ａは、前後方向に長い略矩形の板である。第１ホルダ部材２７ａの上面の前端側には、平面視で円形のレンズ溝２７ａａが形成される。第１ホルダ部材２７ａの前後方向の略中央には、第１ホルダ部材２７ａの厚み方向に貫通する光導入孔２７ａｂが形成される。光導入孔２７ａｂは、平面視で略矩形に開口される。第１ホルダ部材２７ａの上面のうち、光導入孔２７ａｂの後端縁に隣接する部分には、前後方向に沿う係合溝２７ａｃが形成される。レンズ溝２７ａａと光導入孔２７ａｂと係合溝２７ａｃとは、第１ホルダ部材２７ａの幅方向（左右方向）の中央に形成される。
【００３５】
第１ホルダ部材２７ａの上面のうち、レンズ溝２７ａａと光導入孔２７ａｂとの間と、係合溝２７ａｃの後側とには、第１ホルダ部材２７ａの厚み方向に貫通するボルト挿通孔２７ａｄが形成される。２つのボルト挿通孔２７ａｄの間隔は、ユニットベース２５の２つの雌ねじ穴２５ｂの間隔と同じである。ボルト挿通孔２７ａｄは、第１ホルダ部材２７ａの幅方向の中央に形成される。
【００３６】
第１ホルダ部材２７ａの下面には、側方視で逆Ｖの字状の逆Ｖ溝２７ａｅが形成される。逆Ｖ溝２７ａｅは、光導入孔２７ａｂの左右に形成される。逆Ｖ溝２７ａｅは、左右方向に沿う。逆Ｖ溝２７ａｅは、側方視で２つのボルト挿通孔２７ａｄの中間に位置する。
【００３７】
第２ホルダ部材２７ｂは、前後方向に長い略矩形の板である。第２ホルダ部材２７ｂの前後方向の長さは、第１ホルダ部材２７ａの前後方向の長さよりも短い。第２ホルダ部材２７ｂの下面の前端側には、底面視で円形のレンズ溝２７ｂａが形成される。第２ホルダ部材２７ｂのレンズ溝２７ｂａより後方には、第２ホルダ部材２７ｂの厚み方向に貫通する工具挿通孔２７ｂｂが形成される。レンズ溝２７ｂａと工具挿通孔２７ｂｂとは、第２ホルダ部材２７ｂの幅方向（左右方向）の中央に形成される。
【００３８】
第２ホルダ部材２７ｂの下面の後端側には、下方に向けて突出するミラー支持柱２７ｂｃが形成される。ミラー支持柱２７ｂｃは、第２ホルダ部材２７ｂの幅方向の中央に形成される。すなわち、第２ホルダ部材２７ｂは、後方視でＴの字状である（図１参照）。ミラー支持柱２７ｂｃの前端面は、第２ホルダ部材２７ｂの下面に対して斜め後方へ１３５度の角度で傾斜する。
【００３９】
反射ミラー２６は、ミラー支持柱２７ｂｃの前端面に、導光面２６ａを前斜め下方へ向けて取り付けられる。そのため、反射ミラー２６は、第２ホルダ部材２７ｂの下面に対して斜め後方へ１３５度の角度で傾斜する。すなわち、反射ミラー２６の導光面２６ａは、上下方向と前後方向とに対して４５度の角度で傾斜する。ミラー支持柱２７ｂｃの左右方向の幅は、反射ミラー２６の左右方向の幅と同一、もしくは狭い。
【００４０】
第２ホルダ部材２７ｂは、第１ホルダ部材２７ａの上方に第１ホルダ部材２７ａと平行に配置される。第２ホルダ部材２７ｂのミラー支持柱２７ｂｃの下端部は、第１ホルダ部材２７ａの係合溝２７ａｃに係合される。このとき、第１ホルダ部材２７ａのレンズ溝２７ａａは、第２ホルダ部材２７ｂのレンズ溝２７ｂａと対向する。第１ホルダ部材２７ａの２つのボルト挿通孔２７ａｄのうち、前側のボルト挿通孔２７ａｄは、第２ホルダ部材２７ｂの工具挿通孔２７ｂｂと対向する。
【００４１】
ロッドレンズ３０は、反射ミラー２６からの光束が入射されて照射光束を照射する。ロッドレンズ３０は、本発明にかかる照射装置の照射素子の例である。ロッドレンズ３０は、円柱体である。ロッドレンズ３０の直径は、反射ミラー２６からの光束の幅に基づいて適宜決定される。すなわち、ロッドレンズ３０の直径は、反射ミラー２６からの光束の全てがロッドレンズ３０の外周面に入射される値に決定される。
【００４２】
ロッドレンズ３０の外周面の半周面側には、半透過膜３１が蒸着などにより形成される（図５参照）。半透過膜３１は、金属などの光半透過膜である。半透過膜３１は、例えば、反射率と透過率との割合が６５対３５である。すなわち、半透過膜３１は、半透過膜３１に入射する光束の６５％を反射して、残りの３５％を透過する。
【００４３】
なお、半透過膜の反射率と半透過膜の透過率との割合は、本実施の形態の割合に限定されない。すなわち、本発明において、半透過膜の反射率と半透過膜の透過率との割合は、ロッドレンズの材料により適宜調整される。
【００４４】
ロッドレンズ３０は、半透過膜３１が形成された面（以下「半透過面」という。）を反射ミラー２６に向けて、第１ホルダ部材２７ａのレンズ溝２７ａａと第２ホルダ部材２７ｂのレンズ溝２７ｂａとに嵌合される。ロッドレンズ３０の中心軸線は、第１ホルダ部材２７ａの上面と第２ホルダ部材２７ｂの下面のそれぞれと直交する。すなわち、反射ミラー２６は、ロッドレンズ３０の中心軸線に対して斜め後方へ４５度の角度で傾斜する。反射ミラー２６の導光面２６ａの中心と、ロッドレンズ３０の中心軸の中央とは、前後方向に沿う同一仮想軸線（以下「第２軸線」という。）Ｌ２上に位置する。
【００４５】
本明細書において、ロッドレンズ３０の中心軸線とは、ロッドンレンズ３０の中心軸を通る直線をいう。
【００４６】
調節機構４０は、反射ミラー２６と第１軸線Ｌ１との間の角度を調節する。調節機構４０は、ピン４１と調節ボルト４２とを備える。ピン４１は、円柱体である。ピン４１と調節ボルト４２との配置については、後述する。
【００４７】
ミラーホルダ２７は、ユニットベース２５の上方に配置される。このとき、反射ミラー２６の導光面２６ａの中心は、第１軸線Ｌ１上に配置される。すなわち、第１軸線Ｌ１と第２軸線Ｌ２とは、導光面２６ａの中心で交わる。
【００４８】
ユニットベース２５のＶ溝２５ｅは、ミラーホルダ２７の逆Ｖ溝２７ａｅと対向する。Ｖ溝２５ｅと逆Ｖ溝２７ａｅとの間には、ピン４１が挟持される。ピン４１は、ユニットベース２５の開口の左右２箇所に配置される。ユニットベース２５とミラーホルダ２７とは、調節ボルト４２により連結される。調節ボルト４２は、第１ホルダ部材２７ａのボルト挿通孔２７ａｄに挿通されて、ユニットベース２５の雌ねじ穴２５ｂに螺合される。
【００４９】
このとき、ユニットベース２５の上端面と第１ホルダ部材２７ａの下面との間には、ピン４１により隙間が形成される。すなわち、ミラーホルダ２７は、ユニットベース２５に対してピン４１を支点とするシーソー状に揺動可能である。ミラーホルダ２７のユニットベース２５に対する角度は、２つの調節ボルト４２，４２の締結量に応じて調節可能である。つまり、反射ミラー２６の第１軸線Ｌ１に対する角度は、２つの調節ボルト４２の締結量により簡易に調節される。
【００５０】
光源ホルダ１２は、ユニットベース２５の下端面に取り付けられる。光源ホルダ１２とユニットベース２５とは、光源ホルダ１２のボルト挿通孔に挿通されたボルト（不図示）により連結される。ボルトは、光源ホルダ１２のボルト挿通孔に挿通されて、ユニットベース２５の下端面の雌ねじ穴に螺合される。このとき、光源１１の照射面の中心は、第１軸線Ｌ１上に位置する。すなわち、光源１１の中心と、コリメータレンズ２１の中心と、シリンドリカルレンズ２３の中心と、導光面２６ａの中心とは、第１軸線Ｌ１上に位置する。
【００５１】
照射装置１における第２軸線Ｌ２は、第１軸線Ｌ１に対して直交する。
【００５２】
なお、第１軸線Ｌ１に対する第２軸線Ｌ２の角度は、本実施の形態に限定されない。つまり、第１軸線Ｌ１に対する第２軸線Ｌ２の角度は、後述する反射ミラー２６からロッドレンズ３０に至る光束の光軸がロッドレンズ３０の中心軸線に対して直交するように、調節機構４０により適宜調節される。
【００５３】
照射装置１における反射ミラー２６の後方には、ミラー支持柱２７ｂｃのみが配置される。つまり、照射装置１を構成する全ての部材のうち、反射ミラー２６よりも左右方向の幅を有する部材は、反射ミラー２６の後方には存在しない。
【００５４】
●照射装置（１）の動作
次に、照射装置１の動作について、光束の進行を中心に説明する。
【００５５】
図３は、照射装置１の光学配置図である。同図の一点鎖線は、光束の範囲と第１軸線Ｌ１と第２軸線Ｌ２とを示す。同図の実線の矢印については、後述する。
【００５６】
光源１１は、回路基板１３に制御されて光束を出射する。光源１１から出射される光束は、拡散光束である。そのため、光源１１からの光束は、所定範囲に拡がりコリメータレンズ２１の平面に入射される。コリメータレンズ２１に入射された光束は、コリメータレンズ２１の作用により平行光束となる。コリメータレンズ２１の凸面からの光束は、シリンドリカルレンズ２３の平面に入射される。
【００５７】
シリンドリカルレンズ２３に入射された光束は、シリンドリカルレンズ２３の作用により集光される。ここで、シリンドリカルレンズ２３は、前述したとおり、曲率のある方向が左右方向（紙面左右方向）に向けられて配置される。そのため、シリンドリカルレンズ２３による集光の方向は、ロッドレンズ３０の中心軸線に直交する方向である左右方向である。換言すれば、シリンドリカルレンズ２３による集光の方向は、後述する反射ミラー２６で反射された光束の進行方向と直交する方向である。
【００５８】
シリンドリカルレンズ２３からの光束は、反射ミラー２６の導光面２６ａに入射される。導光面２６ａの中心は、シリンドリカルレンズ２３の集光位置に配置される。つまり、シリンドリカルレンズ２３からの光束は、反射ミラー２６の導光面２６ａの中央に集光される。そのため、光源１１からの光束は、導光面２６ａの中央において左右方向に最も狭い。したがって、反射ミラー２６は、シリンドリカルレンズ２３による集光がない場合と比較して、左右方向の幅を狭くすることができる。すなわち、反射ミラー２６の左右方向の幅（幅寸法）は、ロッドレンズ３０の直径寸法以下に設定できる。
【００５９】
図４は、照射装置１が備える光源１１からの光束がロッドレンズ３０に至るまでの光路を示す光路図である。同図は、シリンドリカルレンズ２３の図示が省略されている。
【００６０】
反射ミラー２６に入射された光束は、反射ミラー２６の全反射膜によりロッドレンズ３０に向けて反射される。反射ミラー２６からの光束は、集光された角度と同じ角度で広がりロッドレンズ３０の半透過面に入射される。反射ミラー２６からの光束がロッドレンズ３０に入射される角度は、ロッドレンズ３０の中心軸線に対して直角である。
【００６１】
ここで、光源１１から反射ミラー２６に至るまでの光束は、第１軸線Ｌ１上を通る。そのため、反射ミラー２６からロッドレンズ３０に至るまでの光束は、第２軸線Ｌ２上を通る。すなわち、光源１１からロッドレンズ３０に至る光束のうち、光源１１から反射ミラー２６に至る光束の光軸（以下「第１光軸」という。）は、反射ミラー２６からロッドレンズ３０に至る光束の光軸（以下「第２光軸」という。）に直交する。
【００６２】
本実施の形態においては、第１光軸は、第１軸線Ｌ１と平行する。また、第２光軸は、第２軸線Ｌ２と平行する。
【００６３】
なお、第１光軸に対する第２光軸の角度は、本実施の形態に限定されない。すなわち、第１光軸に対する第２光軸の角度は、第２光軸がロッドレンズ３０の中心軸線に対して直交するように、調節機構４０により適宜調節される。つまり、第１軸光軸に対する第２光軸の角度は、反射ミラー２６に入射される光束の入射角に応じて、調節機構４０により適宜調節される。
【００６４】
ロッドレンズ３０に入射された光束は、６５％がロッドレンズ３０の半透過膜３１により放射状に反射される。一方、残りの３５％は、ロッドレンズ３０の半透過膜３１を透過する。半透過膜３１を透過した透過光束は、ロッドレンズ３０の前端の外周面に向けて屈折される。屈折した透過光束は、ロッドレンズ３０の前端の外周面で屈折して、ロッドレンズ３０の前端の外周面から扇状に出射される。ロッドレンズ３０から出射される光束（以下「拡散光束」という。）と、半透過膜３１に反射された光束（以下「反射光束」という。）とは、壁や天井などの対象物に照射される照射光束を構成する。照射光束は、ロッドレンズ３０の中心軸線に対して直交する方向に照射される。
【００６５】
図５は、照射装置１が照射する照射光束の照射方向を示す照射装置１の平面図である。同図の一点鎖線は、反射ミラー２６からの光束と、ロッドレンズ３０からの照射光束と、を示す。同図において、反射ミラー２６からの光束は、説明の便宜上、平行に示す。同図の実線の矢印については、後述する。
【００６６】
照射光束のうち、反射光束は、反射ミラー２６からの光束の半透過面への入射角に応じた角度で半透過面から放射状に反射される。反射光束の照射範囲は、例えば、ロッドレンズ３０を中心とする約２７０度である。一方、拡散光束は、ロッドレンズ３０の前端の外周面と透過光束との角度に応じて、ロッドレンズ３０の前端の外周面から扇状に出射される。拡散光束の照射範囲は、例えば、ロッドレンズ３０を中心とする約１３０度である。反射光束と拡散光束とは、同一平面上に照射される（図２参照）。換言すれば、反射ミラー２６からの光束は、反射光束と拡散光束とが同一平面上に照射されるように、ロッドレンズ３０に入射される。反射光束の一部は、拡散光束の一部に重なる。その結果、照射光束は、ロッドレンズ３０を中心とする３６０度の範囲にわたりロッドレンズ３０から全周ライン状に照射される。
【００６７】
照射光束の一部は、第２軸線Ｌ２上を通る。すなわち、照射装置１を構成する部材のうち、照射光束の照射範囲には、反射ミラー２６のみが配置される。そのため、照射光束の一部は、反射ミラー２６に照射される。つまり、照射光束の照射範囲には、図３と図５とに実線の矢印で示されるように、反射ミラー２６により扇状の切れ目が生じる。照射光束のうち、反射ミラー２６に照射される照射光束を除く照射光束の他の一部は、照射装置１に照射されることなく対象物に照射される。換言すれば、照射光束は、照射装置１内において反射ミラー２６のみに照射される。
【００６８】
照射光束が反射ミラー２６に照射されて生じる照射光束の切れ目の範囲は、反射ミラー２６の左右方向の幅に依存する。前述したとおり、反射ミラー２６の左右方向の幅（幅寸法）は、シリンドリカルレンズ２３の作用により、狭くすることができる。すなわち、照射光束は、極めて切れ目の少ない全周ライン状に照射される。
【００６９】
照射装置１は、例えば、ジンバル機構などにより、第１軸線Ｌ１を鉛直方向に、第２軸線Ｌ２を水平方向に、それぞれ合わることができる。その結果、照射装置１は、反射ミラー２６の後方を除いて、極めて切れ目の少ない全周ライン状に照射光束を照射することで、対象物に水平ラインを描くことができる。
【００７０】
以上説明した照射装置１の動作のうち、照射装置１により対象物を照射する照射方法の特徴は、以下のとおりである。すなわち、先ず、光源１１は、一の方向である上方に光束を出射する。次いで、反射ミラー２６は、光源１１から出射された光束を上方とは異なる他の方向である前方に反射する。次いで、ロッドレンズ３０は、反射ミラー２６からの光束を対象物に照射する。ロッドレンズ３０は、照射光束をロッドレンズ３０の中心軸線に対して直交する方向に照射する。このとき、照射光束の一部は、照射装置１内において反射ミラー２６のみに照射され、反射ミラー２６に照射される照射光束を除く照射光束の他の一部は、対象物に照射される。
【００７１】
●まとめ
以上説明した実施の形態によれば、照射装置１を構成する部材のうち、ロッドレンズ３０が照射した照射光束の照射範囲には反射ミラー２６のみが配置される。また、照射装置１は、反射ミラー２６の幅を狭くして、照射光束が反射ミラー２６に照射される範囲を狭くすることができる。すなわち、照射装置１は、前述の簡易な構造により、広い範囲を照射できる。換言すれば、照射装置１は、簡易な構造により、極めて切れ目の少ない全周ライン状に照射光束を照射することができる。
【００７２】
なお、本発明にかかる照射装置は、導光素子の例として、ペンタプリズムを備えてもよい。ペンタプリズムは、１つの角が９０度、残りの角が１１２．５度の５角８面体である。この場合、ペンタプリズムの９０度をなす２面のうち、一方の面は、第１軸線に直交して配置される。他方の面は、第２軸線に直交して配置される。ペンタプリズムの９０度をなす２面に隣接する２面には、全反射膜が形成される。
【００７３】
●照射装置（２）●
次に、本発明にかかる照射装置の別の実施の形態（以下「第２実施形態」という。）について、先に説明した第１実施形態と異なる部分を中心に説明する。第２実施形態における照射装置は、反射ミラー（導光素子）とロッドンレンズ（照射素子）とが第１実施形態と異なる。
【００７４】
●照射装置（２）の構成
図６は、第２実施形態における照射装置の光路図である。同図は、光源１１からの光束がロッドレンズ３０Ａ１，３０Ａ２に至るまでの光路を示している。
【００７５】
以下の説明において、同図の紙面上側を上方といい、紙面下側を下方という。また、同図の紙面左側を前方といい、紙面右側を後方という。さらに、同図の紙面奥側を右方といい、紙面手前側を左方という。
【００７６】
照射装置１Ａは、第１反射ミラー２６Ａ１と第２反射ミラー２６Ａ２と第１ロッドレンズ３０Ａ１と第２ロッドレンズ３０Ａ２とを備える。
【００７７】
第１反射ミラー２６Ａ１と第２反射ミラー２６Ａ２とは、入射された光束を導光（反射）する。第１反射ミラー２６Ａ１と第２反射ミラー２６Ａ２とは、本発明にかかる照射装置における導光素子の別の例である。第１反射ミラー２６Ａ１は、一方の面に５０％透過の半透過膜が蒸着などにより形成されたハーフミラーである。半透過膜は、金属などの光半透過膜である。半透過膜は、例えば、反射率と透過率との割合が５０対５０である。すなわち、半透過膜は、半透過膜に入射する入射光束の５０％を反射して、５０％を透過する。
【００７８】
第２反射ミラー２６Ａ２は、第１反射ミラー２６Ａ１の半透過膜を透過した光束を反射する。第２反射ミラー２６Ａ２は、一方の面に全反射膜が蒸着などにより形成された全反射ミラーである。全反射膜は、金属などの光反射膜である。
【００７９】
光源１１からの光路における第１反射ミラー２６Ａ１の配置は、第１実施形態の反射ミラー２６の配置と同じである。すなわち、第１反射ミラー２６Ａ１は、半透過膜が形成された導光面２６Ａ１ａを前斜め下方に向けて、第１軸線Ｌ１上に配置される。第１反射ミラー２６Ａ１の導光面２６Ａ１ａは、第１軸線Ｌ１に対して４５度の角度に傾斜する。
【００８０】
第２反射ミラー２６Ａ２は、全反射膜が形成された導光面２６Ａ２ａを下方に向けて、第１反射ミラー２６Ａ１の上方に配置される。第２反射ミラー２６Ａ２の導光面２６Ａ２ａは、第１軸線Ｌ１に対して直交する。すなわち、第１反射ミラー２６Ａ１の導光面２６Ａ１ａは、第２反射ミラー２６Ａ２の導光面２６Ａ２ａに対して４５度の角度に傾斜する。第２反射ミラー２６Ａ２の導光面２６Ａ２ａの中心は、第１軸線Ｌ１に近接する。
【００８１】
第１ロッドレンズ３０Ａ１と第２ロッドレンズ３０Ａ２とは、第１反射ミラー２６Ａ１からの光束が入射されて照射光束を照射する。第１ロッドレンズ３０Ａ１と第２ロッドレンズ３０Ａ２とは、本発明にかかる照射装置における照射素子の別の例である。
【００８２】
第１ロッドレンズ３０Ａ１は、第１実施形態のロッドレンズ３０と同じである。すなわち、第１ロッドレンズ３０Ａ１の半周面には、半透過膜３１Ａが形成される（図７参照）。第１ロッドレンズ３０Ａ１の配置は、第１実施形態のロッドレンズ３０の配置と同じである。
【００８３】
第２ロッドレンズ３０Ａ２は、円柱体である。第２ロッドレンズ３０Ａ２の直径は、第１反射ミラー２６Ａ１からの光束に基づいて適宜決定される。すなわち、第２ロッドレンズ３０Ａ２の直径は、第１反射ミラー２６Ａ１からの光束の全てが第２ロッドレンズ３０Ａ２の外周面に入射される値に決定される。
【００８４】
第２ロッドレンズ３０Ａ２は、第１反射ミラー２６Ａ１の後方（紙面右方向）に配置される。第２ロッドレンズ３０Ａ２は、例えば、第１ホルダ部材２７ａと、後方に延伸させた第２ホルダ部材２７ｂ（図２参照）とにより、第１ロッドレンズ３０Ａ１と同様に挟持される。第２ロッドレンズ３０Ａ２の中心軸は、第２軸線Ｌ２上に位置する。第１反射ミラー２６Ａ１は、第２ロッドレンズ３０Ａ２の中心軸線に対して４５度の角度に傾斜する。
【００８５】
なお、ミラー支持柱（不図示）は、第１反射ミラー２６Ａ１からの光束が第２反射ミラー２６Ａ２と第２ロッドレンズ３０Ａ２のそれぞれに到達する形状に適宜形成される。すなわち、例えば、ミラー支持柱には、第１反射ミラー２６Ａ１からの光束が通過する孔が形成される。
【００８６】
●照射装置（２）の動作
次に、照射装置１Ａの動作について、光束の進行を中心に説明する。
【００８７】
光源１１から第１反射ミラー２６Ａ１に至る光路は、第１実施形態の光源１１から反射ミラー２６に至る光路と同様である。
【００８８】
シリンドリカルレンズ（不図示）からの光束は、第１反射ミラー２６Ａ１の導光面２６Ａ１ａに入射される。第１反射ミラー２６Ａ１の導光面２６Ａ１ａに入射された光束は、５０％が第１反射ミラー２６Ａ１の半透過膜により反射される。第１反射ミラー２６Ａ１に反射された光束は、第１実施形態と同様に第１ロッドレンズ３０Ａ１の半透過面に入射される。
【００８９】
一方、第１反射ミラー２６Ａ１の導光面に入射された光束は、残りの５０％が第１反射ミラー２６Ａ１の半透過膜３１Ａを透過する。半透過膜３１Ａを透過した光束は、第２反射ミラー２６Ａ２の導光面２６Ａ２ａに入射される。第２反射ミラー２６Ａ２の導光面２６Ａ２ａに入射された光束は、第２反射ミラー２６Ａ２の全反射膜により反射される。第１反射ミラー２６Ａ１と第２反射ミラー２６Ａ２との間の光束の光軸は、第１光軸と平行である。
【００９０】
第２反射ミラー２６Ａ２からの光束は、第１反射ミラー２６Ａ１に入射される。第１反射ミラー２６Ａ１に入射された光束は、第１反射ミラー２６Ａ１の半透過膜により第２ロッドレンズ３０Ａ２に向けて反射される。ここで、第１反射ミラー２６Ａ１からの光束が第２ロッドレンズ３０Ａ２に入射される角度は、第２ロッドレンズ３０Ａ２の中心軸線に対して直角である。第１反射ミラー２６Ａ１から第２ロッドレンズ３０Ａ２に至るまでの光束の光軸は、第２光軸と平行である。すなわち、第１反射ミラー２６Ａ１から第２ロッドレンズ３０Ａ２に至るまでの光束の光軸は、第２ロッドレンズ３０Ａ２の中心軸線に直交する。
【００９１】
図７は、照射装置１Ａが照射する照射光束の照射方向を示す照射装置１Ａの平面図である。同図の一点鎖線は、第１反射ミラー２６Ａ１からの光束と、ロッドレンズ３０Ａからの照射光束と、を示す。同図における第１反射ミラー２６Ａ１からの光束は、説明の便宜上、第１反射ミラー２６Ａ１から平行に示す。
【００９２】
第１ロッドレンズ３０Ａ１に入射された光束は、第１実施形態と同様に第１ロッドレンズ３０Ａ１を中心とする３６０度の範囲にわたり第１ロッドレンズ３０Ａ１から照射される。
【００９３】
第２ロッドレンズ３０Ａ２に入射された光束は、第２ロッドレンズ３０Ａ２の後端の外周面に向けて屈折する。屈折した光束は、第２ロッドレンズ３０Ａ２の後端の外周面で屈折して、第２ロッドレンズ３０Ａ２の後端の外周面から扇状に出射される。第１ロッドレンズ３０Ａ１から照射される光束と、第２ロッドレンズ３０Ａ２から出射される光束とは、対象物に照射される照射光束を構成する。第２ロッドレンズ３０Ａ２から照射される照射光束の照射範囲は、例えば、約１３０度である。第２ロッドレンズ３０Ａ２から照射される照射光束は、第２ロッドレンズ３０Ａ２の中心軸線に対して直交する方向に照射される。
【００９４】
第１ロッドレンズ３０Ａ１からの照射光束の一部は、第１実施形態と同様に第１反射ミラー２６Ａ１に照射される。ここで、第２ロッドレンズ３０Ａ２から照射される照射光束の照射範囲は、第１ロッドレンズ３０Ａ１の照射光束の一部が第１反射ミラー２６Ａ１に照射される範囲よりも広い。そのため、第１ロッドレンズ３０Ａ１からの照射光束のうち、第１ロッドレンズ３０Ａ１に照射される照射光束を除く照射光束の他の一部は、第２ロッドレンズ３０Ａ２からの照射光束の一部に重なる。その結果、照射装置１Ａの照射光束の照射範囲は、照射装置１Ａを中心とする３６０度になる。すなわち、照射装置１Ａは、全周ライン状に照射光束を照射する。
【００９５】
照射装置１Ａは、例えば、ジンバル機構などにより、第１軸線Ｌ１を鉛直方向に、第２軸線Ｌ２を水平方向に、それぞれ合わせることができる。その結果、照射装置１Ａは、３６０度にわたる広い範囲に照射光束を照射することで、対象物に水平ラインを描くことができる。
【００９６】
●まとめ
以上説明した実施の形態によれば、照射装置１Ａは、照射装置１Ａを中心とする３６０度の範囲を照射する構成とすることができる。すなわち、照射装置１Ａは、前述の簡易な構造により、３６０度にわたる広い範囲に照射することができる。換言すれば、照射装置１Ａは、前述の簡易な構造により、全周ライン状に照射光束を照射することができる。
【００９７】
なお、照射装置１Ａは、第２ロッドレンズ３０Ａ２からの照射光束の照射範囲が、第１反射ミラー２６Ａ１に入射される第１ロッドレンズ３０Ａ１からの照射光束の範囲をカバー可能であれば、シリンドリカルレンズ２３を備えなくともよい。
【００９８】
●照射装置（３）●
次に、本発明にかかる照射装置のさらに別の実施の形態（以下「第３実施形態」という）について、先に説明した第１実施形態と第２実施形態と異なる部分を中心に説明する。第３実施形態における照射装置は、反射ミラー（導光素子）とロッドレンズ（照射素子）と調節機構とが第１実施形態と第２実施形態のそれぞれと異なる。
【００９９】
図８は、第３実施形態における照射装置の左側面視断面図である。以下の説明において、同図の紙面上側を上方といい、紙面下側を下方という。また、同図の紙面右側を前方といい、紙面左側を後方という。さらに、同図の紙面奥側を左方といい、紙面手前側を右方という。
【０１００】
照射装置１Ｂは、反射ミラー２６Ｂと、ミラーホルダ２７Ｂと、第１ロッドレンズ３０Ｂ１と、第２ロッドレンズ３０Ｂ２と、板バネ２８Ｂと、ロッドレンズホルダ２９Ｂと、調節機構４０Ｂと、を備える。
【０１０１】
反射ミラー２６Ｂは、第２実施形態の第１反射ミラー２６Ａ１と同じである。すなわち、反射ミラー２６Ｂは、一方の面に半透過膜が形成されたハーフミラーである。光源１１からの光路における反射ミラー２６Ｂの配置は、第２実施形態の第１反射ミラー２６Ａ１の配置と同じである。すなわち、反射ミラー２６Ｂは、半透過膜が形成された導光面２６Ｂａを前斜め下方へ向けて、第１軸線Ｌ１上に配置される。反射ミラー２６Ｂの導光面２６Ｂａは、第１軸線Ｌ１に対して４５度の角度に傾斜する。
【０１０２】
ミラーホルダ２７Ｂは、第１実施形態の第１ホルダ部材２７ａに相当する第１ホルダ部２７Ｂａと、同第２ホルダ部材２７ｂに相当する第２ホルダ部２７Ｂｂと、同ミラー支持柱２７ｂｃに相当するミラー支持柱２７Ｂｃとが一体に形成される。第１ホルダ部２７Ｂａの前端には、上方視でＵの字状のレンズ固定部２７Ｂｄが両端を前方に向けて形成される。第２ホルダ部２７Ｂｂの前端には、上方視でＵの字状のレンズ固定部２７Ｂｄが両端を前方に向けて形成される。第１ホルダ部２７Ｂａのレンズ固定部２７Ｂｄの前端面と、第２ホルダ部２７Ｂｂのレンズ固定部２７Ｂｄの前端面のそれぞれには、板バネ２８Ｂが図示されないボルトにより取り付けられる。
【０１０３】
第１ホルダ部２７Ｂａのレンズ固定部２７Ｂｄの股部に隣接する部位には、左右方向に貫通する雌ねじ孔２７Ｂｅが形成される。
【０１０４】
第２ホルダ部２７Ｂｂには、第２ホルダ部２７Ｂｂの厚み方向に貫通する光導出孔２７Ｂｆが形成される。光導出孔２７Ｂｆは、光導入孔２７ａｂと対向する。光導出孔２７Ｂｆの上開口端には、側方視でＶの字状のＶ溝２７Ｂｇが形成される。Ｖ溝２７Ｂｇは、光導出孔２７Ｂｆの上開口端の左右に形成される。Ｖ溝２７Ｂｇは、左右方向（紙面奥手前方向）に沿う。第２ホルダ部２７Ｂｂの上面には、雌ねじ穴２７Ｂｈが形成される。雌ねじ穴２７Ｂｈは、光導出孔２７Ｂｆの前後に形成される。光導出孔２７Ｂｆと雌ねじ穴２７Ｂｈとは、第２ホルダ部２７Ｂｂの幅方向（左右方向）の中央に形成される。
【０１０５】
光導出孔２７Ｂｆの下方には、反射ミラー２６Ｂが固定される。反射ミラー２６Ｂは、ミラー支持柱２７Ｂｃの下端と、第２ホルダ部２７Ｂｂの下面とに導光面２６Ｂａを前斜め下方へ向けて取り付けられる。
【０１０６】
第１ロッドレンズ３０Ｂ１と第２ロッドレンズ３０Ｂ２とは、反射ミラー２６Ｂからの光束が入射されて照射光束を照射する。第１ロッドレンズ３０Ｂ１と第２ロッドレンズ３０Ｂ２とは、本発明にかかる照射装置における照射素子の別の例である。
【０１０７】
第１ロッドレンズ３０Ｂ１は、第１実施形態のロッドレンズ３０と同じである。すなわち、第１ロッドレンズ３０Ｂ１の半周面には、半透過膜３１Ｂ１が形成される。第１ロッドレンズ３０Ｂ１の位置は、第１実施形態のロッドレンズ３０の位置と同じである。
【０１０８】
第１ロッドレンズ３０Ｂ１は、半透過面を反射ミラー２６Ｂに向けて、レンズ固定部２７Ｂｄに嵌合される。第１ロッドレンズ３０Ｂ１の上端と下端とには板バネ２８Ｂが前方から当接する。すなわち、第１ロッドレンズ３０Ｂ１は、ミラーホルダ２７Ｂと板バネ２８Ｂとに挟持される。
【０１０９】
第２ロッドレンズ３０Ｂ２は、円柱体である。第２ロッドレンズ３０Ｂ２の直径は、反射ミラー２６Ｂからの光束に基づいて適宜選定される。すなわち、第２ロッドレンズ３０Ｂ２の直径は、反射ミラー２６Ｂからの光束の全てが第２ロッドレンズ３０Ｂ２の外周面に入射される値に選定される。
【０１１０】
第２ロッドレンズ３０Ｂ２の外周面の半周面側には、半透過膜３１Ｂ２が蒸着などにより形成される。半透過膜３１Ｂ２は、金属などの光半透過膜である。半透過膜３１Ｂ２は、反射率と透過率との割合が６５対３５である。すなわち、半透過膜３１Ｂ２は、半透過膜３１Ｂに入射する入射光束の６５％を反射して、３５％を透過する。
【０１１１】
なお、半透過膜の反射率と半透過膜の透過率との割合は、本実施の形態の割合に限定されない。すなわち、本発明において、半透過膜の反射率と半透過膜の透過率との割合は、第２ロッドレンズの材料により適宜調整される。
【０１１２】
ロッドレンズホルダ２９Ｂは、第２ロッドレンズ３０Ｂ２を保持する。ロッドレンズホルダ２９Ｂは、相互に平行な前壁と後壁とを備える。前壁の下端と、後壁の下端とは、下方に凸な円柱面状に接続される。すなわち、ロッドレンズホルダ２９Ｂは、側方視で略Ｕの字状である。ロッドレンズホルダ２９Ｂの前壁と後壁のそれぞれの上端には、前方視でＵの字状のレンズ固定部２９Ｂａが形成される。ロッドレンズホルダ２９Ｂの前壁と後壁のそれぞれの下端には、前後方向に突出するフランジ部２９Ｂｂが形成される。フランジ部２９Ｂｂには、２つのボルト挿通孔２９Ｂｃが形成される。２つのボルト挿通孔２９Ｂｃの間隔と、第２ホルダ部２７Ｂｂの２つの雌ねじ穴２７Ｂｈの間隔とは、同じである。
【０１１３】
第２ロッドレンズ３０Ｂ２は、半透過面を反射ミラー２６Ｂに向けて、ロッドレンズホルダ２９Ｂのレンズ固定部２９Ｂａに嵌合される。第２ロッドレンズ３０Ｂ２の中心軸線は、前後方向に沿う。第２ロッドレンズ３０Ｂ２の中心軸は、第１軸線Ｌ１上に位置する。
【０１１４】
調節機構４０Ｂは、反射ミラー２６Ｂを透過した光束の光軸と、反射ミラー２６に反射された光束の光軸との角度を調節する。調節機構４０Ｂは、ピン４１と、ミラーホルダ２７Ｂとユニットベース２５とを固定する調節ボルト（以下「第１調節ボルト」という。）４２と、第２調節ボルト４３Ｂと、レンズ調節ボルト４４Ｂと、を備える。
【０１１５】
レンズ調節ボルト４４Ｂは、反射ミラー２６Ｂに対する第１ロッドレンズ３０Ｂ１の中心軸線の角度を調節する。レンズ調節ボルト４４Ｂは、雌ねじ孔２７Ｂｅに螺合される。レンズ調節ボルト４４Ｂには、図示されないテーパ部が形成される。テーパ部は、レンズ調節ボルト４４Ｂの進退に応じて、レンズ固定部２７Ｂｄの内側に進退可能である。レンズ調節ボルト４４Ｂのテーパ部は、第１ロッドレンズ３０Ｂ１の後部下端に当接する。
【０１１６】
ロッドレンズホルダ２９Ｂは、ミラーホルダ２７Ｂの光導出孔２７Ｂｆの上方に配置される。ロッドレンズホルダ２９Ｂの円柱面状の接続部は、第２ホルダ部２７ＢｂのＶ溝２７Ｂｇに当接する。ミラーホルダ２７Ｂとロッドレンズホルダ２９Ｂとは、第２調節ボルト４３Ｂにより連結される。第２調節ボルト４３Ｂは、ロッドレンズホルダ２９Ｂのボルト挿通孔２９Ｂｃに挿通されて、第２ホルダ部２７Ｂｂの雌ねじ穴２７Ｂｈに螺合される。  
【０１１７】
このとき、ロッドレンズホルダ２９Ｂのフランジ部２９Ｂｂの下面と、第２ホルダ部２７Ｂｂの上面との間には、隙間が形成される。すなわち、ロッドレンズホルダ２９Ｂは、ミラーホルダ２７Ｂに対して円柱面状の接続部を支点とするシーソー状に揺動可能である。ロッドレンズホルダ２９Ｂのミラーホルダ２７Ｂに対する角度は、２つの第２調節ボルト４３Ｂの締結量に応じて調整可能である。つまり、第２調節ボルト４３Ｂは、反射ミラー２６Ｂに対する第２ロッドレンズ３０Ｂ２の中心軸線の角度を調節する。
【０１１８】
●照射装置（３）の動作
次に、照射装置１Ｂの動作について、光束の進行を中心に説明する。
【０１１９】
光源１１から反射ミラー２６Ｂに至る光路と、反射ミラー２６Ｂから第１ロッドレンズ３０Ｂ１に至る光路は、第２実施形態と同じである。
【０１２０】
反射ミラー２６Ｂの半透過膜を透過した光束は、第２ロッドレンズ３０Ｂ２の半透過面に入射される。反射ミラー２６Ｂからの光束が第２ロッドレンズ３０Ｂ２に入射される角度は、第２ロッドレンズ３０Ｂ２の中心軸線に対して直角である。
【０１２１】
第２ロッドレンズ３０Ｂ２に入射された光束は、６５％が第２ロッドレンズ３０Ｂ２の半透過膜３１Ｂ２により放射状に反射される。一方、残りの３５％は、第２ロッドレンズ３０Ｂ２の半透過膜３１Ｂ２を透過する。半透過膜３１Ｂ２を透過した透過光束は、第２ロッドレンズ３０Ｂ２の上端の外周面に向けて屈折する。屈折した透過光束は、第２ロッドレンズ３０Ｂ２の上端の外周面から左右方向の扇状に出射される。第２ロッドレンズ３０Ｂ２から出射される光束と、半透過膜に反射された光束は、対象物に照射される第２照射光束を構成する。第２照射光束は、第２ロッドレンズ３０Ｂ２の中心軸線に対して直交する方向に照射される。
【０１２２】
第１ロッドレンズ３０Ｂ１から照射される第１照射光束の一部は、第１実施形態と同様に反射ミラー２６Ｂにのみ照射される。一方、第２ロッドレンズ３０Ｂ２から照射される第２照射光束の一部は、ロッドレンズホルダ２９Ｂやユニットベース２５に照射される。第１照射光束と、第２照射光束とは、直交する。
【０１２３】
照射装置１Ｂは、例えば、ジンバル機構などにより、第１軸線Ｌ１を鉛直方向に、第２軸線Ｌ２を水平方向に、それぞれ合わせることができる。その結果、照射装置１Ｂは、対象物に水平ラインと鉛直ラインとを同時に描くことができる。
【０１２４】
●まとめ
以上説明した実施の形態によれば、照射装置１Ｂは、第１実施形態の照射装置１と同様の効果、すなわち、前述の簡易な構造により、広い範囲を照射できる。換言すれば、照射装置１Ｂは、簡易な構造により、極めて切れ目の少ない全周ライン状に照射光束を照射することができる。
【０１２５】
また、照射装置１Ｂは、前述の簡易な構造により、対象物に水平ラインと鉛直ラインとを同時に描くことができる。
【０１２６】
なお、本発明にかかる照射装置は、導光素子の例として、ペンタプリズムと三角プリズムとを備えてもよい。ペンタプリズムの形状と配置とは、例えば、第１実施形態で述べたペンタプリズムの形状と配置と同じである。ペンタプリズムの９０度をなす面に隣接する２面のうち、第１軸線上に位置する面には、半透過膜が形成される。三角プリズムは、ペンタプリズムの半透過膜が形成された面に当接して配置される。
【０１２７】
●墨出器●
次に、本発明にかかる墨出器の実施の形態について説明する。
【０１２８】
●墨出器の構成
図９は、本発明にかかる墨出器の実施の形態を示す斜視図である。
墨出器Ｓは、前述の第１実施形態における照射装置１、とベース５と、支持体（不図示）と、ジンバル機構（不図示）と、揺動体（不図示）、と電源（不図示）と、ケース６と、を有してなる。
【０１２９】
照射装置１は、対象物に水平ラインや鉛直ラインを描く。
【０１３０】
なお、照射装置は、例えば、前述した第２実施形態における照射装置１Ａや、第３実施形態における照射装置１Ｂなどでもよい。
【０１３１】
照射装置１は、揺動体に固定される。照射装置１は、例えば、導光ユニット２０とロッドレンズ３０とがケース６の上方に配置される。照射装置１は、ジンバル機構により、第１軸線Ｌ１が鉛直方向に向くように調整される。
【０１３２】
ベース５は、支持体を支持する。ベース５は、略矩形の板状体である。ベース５は、３脚により支持される。
【０１３３】
支持体は、ベース５の４角から上方に立ち上がった４本の支柱から構成される。
【０１３４】
ジンバル機構は、揺動体を介して照射装置１の水平方向と鉛直方向とのバランスを調整する。ジンバル機構は、前後方向に沿う第１軸と、左右方向に沿う第２軸と、中間支持体と、を備える。中間支持体は、第１軸により左右方向に揺動可能に支持される。第２軸は中間支持体に支持される。
【０１３５】
揺動体は、照射装置１を支持する。揺動体は、ジンバル機構の第２軸に前後方向に揺動可能に支持される。すなわち、揺動体は、支持体に対して前後左右に揺動可能である。つまり、揺動体は、常に水平方向と鉛直方向とに対する一定の姿勢を保つ。
【０１３６】
電源は、照射装置１に光源の駆動用の電源を供給する。電源は、例えば、ベース５の上に配置される。
【０１３７】
ケース６は、支持体とジンバル機構と揺動体と電源とを収納する。ケース６は、例えば、有底筒体である。ケース６は、ベース５の上方に被せられる。
【０１３８】
●墨出器の動作
次に墨出器Ｓの動作について説明する。
【０１３９】
墨出器Ｓは、例えば、建築現場の建築中の建物の床面に設置される。このとき、照射装置１は、ジンバル機構により、第１軸線Ｌ１が鉛直方向に向くように調整される。この状態において、墨出器Ｓの電源をオンにすると、照射光束は、照射装置から建物の壁（対象物）に照射される。その結果、墨出器Ｓは、水平方向における反射ミラー（不図示）に照射された範囲を除いた範囲内の対象物に極めて切れ目の少ない全周ライン状に水平ラインを描くことができる。
【０１４０】
以上説明した墨出器Ｓの動作のうち、墨出器Ｓにより対象物を照射する照射方法の特徴は以下のとおりである。すなわち、先ず、光源１１は、一の方向である上方に光束を出射する。次いで、反射ミラー２６は、光源１１から出射された光束を上方とは異なる他の方向である前方に反射する。次いで、ロッドレンズ３０は、反射ミラー２６からの光束を対象物に照射する。ロッドレンズ３０は、照射光束をロッドレンズ３０の中心軸線に対して直交する方向に照射する。このとき、墨出器Ｓ内においては、照射光束の照射範囲には、反射ミラー２６のみが配置される。
【０１４１】
なお、照射装置を前述した第２実施形態の照射装置１Ａとすることで、墨出器は、水平方向における３６０度の範囲内の対象物に水平ラインを描くことができる。また、照射装置を前述した第３実施形態の照射装置１Ｂとすることで、墨出器は、対象物に水平ラインと鉛直ラインとを同時に描くことができる。
【０１４２】
●まとめ
以上説明した実施の形態によれば、墨出器Ｓは、本発明にかかる照射装置を備えるため、広い範囲を照射することができる。換言すれば、墨出器Ｓは、簡易な構造により、極めて切れ目の少ない全周ライン状に照射光束を照射することができる。
【符号の説明】
【０１４３】
Ｓ          墨出器
１          照射装置
１０        光源ユニット
１１        光源
１２        光源ホルダ
１３        回路基板
２０        導光ユニット
２１        コリメータレンズ
２２        第１レンズホルダ
２３        シリンドリカルレンズ（集光素子）
２４        第２レンズホルダ
２５        ユニットベース
２６        反射ミラー（導光素子）
２６ａ      導光面
２７        ミラーホルダ
２７ａ      第１ホルダ部材
２７ｂ      第２ホルダ部材
３０        ロッドレンズ（照射素子）
３１        半透過膜
４０        調節機構
４１        ピン
４２        調節ボルト
５          ベース
６          ケース
１Ａ        照射装置
２６Ａ１    第１反射ミラー（導光素子）
２６Ａ１ａ  導光面
２６Ａ２    第２反射ミラー（導光素子）
２６Ａ２ａ  導光面
３０Ａ１    第１ロッドレンズ（照射素子）
３０Ａ２    第２ロッドレンズ（照射素子）
１Ｂ        照射装置
２６Ｂ      反射ミラー（導光素子）
２６Ｂａ    導光面
３０Ｂ１    第１ロッドレンズ（照射素子）
３０Ｂ２    第２ロッドレンズ（照射素子）
【図１】
0006654037.tif 000002
【図２】
0006654037.tif 000003
【図３】
0006654037.tif 000004
【図４】
0006654037.tif 000005
【図５】
0006654037.tif 000006
【図６】
0006654037.tif 000007
【図７】
0006654037.tif 000008
【図８】
0006654037.tif 000009
【図９】
0006654037.tif 000010